(57)【要約】【課題】外部栓を取り外すだけでブラシを爪に当てて爪光沢剤を塗ることが可能な爪光沢剤容器を提供する。【解決手段】爪光沢剤容器１は、爪光沢剤１５の移動用通孔２４が形成されている内側挿入栓２０と、光沢剤移動用通孔２４を開閉する部材であって、光沢剤移動用通孔２４と連通可能な移動通路３２と、外周面に突設された移動栓押圧爪３６とを有し、移動通路３２の一端側に爪光沢剤吐出用ブラシ３４が固定された移動栓３０と、メイン容器１０の入口部１２と螺合可能な部材であって、入口部１２と螺合したとき、移動栓３０が光沢剤移動用通孔２４を閉塞するように移動栓押圧爪３６を押圧する外部栓押圧爪４２を有する外部栓４０と、内側挿入栓２０の内周面と移動栓３０の前記外周面との間に配設され、外部栓４０が入口部１２と螺合していないとき、光沢剤移動用通孔２４が開放されるように移動栓３０に対して弾性作用を発揮するばね５０とを含む。【選択図】図１
2010259771.tif 000002
【特許請求の範囲】
【請求項１】
爪光沢剤を収容する爪光沢剤容器であって、
メイン容器（１０）の入口部（１２）の内周面に嵌合される部材であって、開放された一端部から他端部にかけて内部に形成された収容孔（２２）を有し、前記他端部には、周壁を貫通する爪光沢剤（１５）の移動用通孔（２４）が形成されている内側挿入栓（２０）と、
内側挿入栓（２０）の収容孔（２２）内に同軸に嵌合され、光沢剤移動用通孔（２４）を開閉する部材であって、軸方向に延び、光沢剤移動用通孔（２４）と連通可能な移動通路（３２）と、外周面に突設された移動栓押圧爪（３６）とを有し、移動通路（３２）の一端側に爪光沢剤吐出用ブラシ（３４）が固定された移動栓（３０）と、
メイン容器（１０）の入口部（１２）と螺合可能な部材であって、入口部（１２）と螺合したとき、移動栓（３０）が光沢剤移動用通孔（２４）を閉塞するように移動栓押圧爪（３６）を押圧する外部栓押圧爪（４２）を有する外部栓（４０）と、
内側挿入栓（２０）の内周面と移動栓（３０）の前記外周面との間に配設され、外部栓（４０）が入口部（１２）と螺合していないとき、光沢剤移動用通孔（２４）が開放されるように移動栓（３０）に対して弾性作用を発揮するばね（５０）と、
を備えた爪光沢剤容器。
【請求項２】
内側挿入栓（２０）の光沢剤移動用通孔（２４）の上方には、ばね（５０）の下端を支持する内爪（２６）が突設されており、移動栓（３０）の外周縁には、ばね（５０）の上端を支持する移動栓停止爪（３８）が突設されている請求項１に記載の爪光沢剤容器。
【請求項３】
前記内側挿入栓（２０）の前記一端部は、前記内周面において、径方向内方に突出する内側停止爪（２８）を有し、
内側停止爪（２８）は、移動栓停止爪（３８）と移動栓押圧爪（３６）との間に位置するように設定された請求項２に記載の爪光沢剤容器。
【請求項４】
移動栓停止爪（３８）の直径は、外部栓（４０）の入口側内径よりも小さくなるように設定された請求項３に記載の爪光沢剤容器。
【請求項５】
爪光沢剤吐出用ブラシ（３４）は、移動通路（３２）の出口側に固定されており、
移動栓（３０）は、爪光沢剤吐出用ブラシ（３４）の固定基部近傍から移動栓押圧爪（３６）に向かって移動栓（３０）と同軸に延びる保護管体（３７）をさらに有する請求項３に記載の爪光沢剤容器。
【請求項６】
保護管体（３７）は、爪光沢剤吐出用ブラシ（３４）と接触する部位から移動栓押圧爪（３６）に向かって直径が大きくなるテーパ面を有する請求項５に記載の爪光沢剤容器。
【請求項７】
内側挿入栓（２０）は、内側停止爪（２８−１）とは反対側の径方向外方に突出する外側停止爪（２８−１）をさらに有し、
外側停止爪（２８−１）は、入口部（１２）の内径で内側挿入栓（２０）の下降を制限する請求項３に記載の爪光沢剤容器。
【請求項８】
入口部（１２）の外周面には、外部栓（４０）と螺合するためのねじ部（１３）が形成されており、
外側停止爪（２８−１）の突出長は、ねじ部（１３）の谷（１３−１）を越えないように設定されている請求項７に記載の爪光沢剤容器。
【請求項９】
外部栓（４０）は、入口部（１２）に形成されたねじ部（１３）と螺合可能なねじ部（４３）を有し、
外部栓押圧爪（４２）は、外部栓（４０）から径方向内方に突出しており、
外部栓押圧爪（４２）の突出長は、外部栓（４０）のねじ部（４３）の山（４３−２）の高さよりも大きくなるように設定されており、
移動栓押圧爪（３６）の突出長は、ねじ部（４３）の山（４３−２）と接触しない長さに設定されている請求項１に記載の爪光沢剤容器。
【請求項１０】
内側挿入栓（２０）における光沢剤移動用通孔（２４）が形成された前記他端部は、内側挿入栓（２０）の他の部分よりも直径の小さな小径部（２４−１）として構成され、
小径部（２４−１）は、爪光沢剤（１５）が光沢剤移動用通孔（２４）を通過するようにメイン容器（１０）の入口部（１２）に対して寸法設定されている請求項１に記載の爪光沢剤容器。
【発明の詳細な説明】
【技術分野】
【０００１】
本発明は、爪光沢剤を収容する爪光沢剤容器に関する。
【背景技術】
【０００２】
一般に、爪光沢剤容器は、爪光沢剤を収容する容器と、容器に装着される外部栓と、ブラシが容器内に収まるように容器の入口部に結合されるブラシキャップとで構成される。使用する際には、外部栓を容器から取り外した後、容器の入口部からブラシキャップを取り外す。そして、ブラシに付着した光沢剤を爪に塗り付ける。
【発明の概要】
【発明が解決しようとする課題】
【０００３】
上記構成の爪光沢剤容器は、ブラシに所望量の光沢剤を付着させた後にブラシを容器から取り出して爪に光沢剤を塗り付けるものである。そのため、ブラシを容器から取り出すときにブラシに付着させた光沢剤が外部に滴り落ちてしまったり、ブラシに光沢剤を付着させ過ぎて爪に所望量以上の光沢剤が付いてしまったりする場合がある。その結果、ユーザが光沢剤を均一な厚さで爪に塗り付けることは困難である。
【０００４】
そこで、本発明は、上記事情に鑑み、外部栓を取り外すだけでブラシを爪に当てて爪光沢剤を塗ることが可能な爪光沢剤容器を提供することを目的とする。
【課題を解決するための手段】
【０００５】
上記の目的を達成するために、本発明に係る爪光沢剤容器は、入口部を有し、爪光沢剤を収容するメイン容器と、入口部の内周面に嵌合される部材であって、開放された一端部と、前記一端部とは反対側の他端部と、前記一端部から前記他端部にかけて内部に形成された収容孔と、収容孔を画定する周壁とを有し、前記他端部には、前記周壁を貫通する爪光沢剤の移動用通孔が形成されている内側挿入栓と、内側挿入栓の収容孔内に同軸に嵌合され、光沢剤移動用通孔を開閉する部材であって、軸方向に延び、光沢剤移動用通孔と連通可能な移動通路と、外周面に突設された移動栓押圧爪とを有する移動栓と、移動通路の一端側に固定された爪光沢剤吐出用ブラシと、メイン容器の入口部と螺合可能な部材であって、入口部と螺合したとき、移動栓が光沢剤移動用通孔を閉塞するように移動栓押圧爪を押圧する外部栓押圧爪を有する外部栓と、内側挿入栓の内周面と移動栓の前記外周面との間に配設され、外部栓が入口部と螺合していないとき、光沢剤移動用通孔が開放されるように移動栓に対して弾性作用を発揮するばねとを含む。
【０００６】
本発明に係る爪光沢剤容器によれば、外部栓が入口部と螺合していないとき、つまり、ユーザが外部栓をメイン容器から取り外して爪光沢剤を使用するとき、ばねは、光沢剤移動用通孔が開放されるように移動栓に対して弾性作用を発揮するので、メイン容器内の爪光沢剤は、開放された光沢剤移動用通孔を通って移動栓の移動通路内に流入し、爪光沢剤吐出用ブラシに供給される。このように、本発明に係る爪光沢剤容器は、ユーザが外部栓をメイン容器から取り外すだけで、使用可能状態となる。
【０００７】
また、本発明に係る爪光沢剤容器では、爪光沢剤は移動栓の移動通路を介して爪光沢剤吐出用ブラシに直接供給されるので、爪光沢剤が爪光沢剤吐出用ブラシから滴り落ち難くい。
【０００８】
さらに、爪光沢剤容器は、内側挿入栓を入口部に嵌合させ、ばねを内側挿入栓と移動栓との間に配設すると共に、移動栓を内側挿入栓の収容孔に嵌合させるだけで容易に組み立てることができる。
【０００９】
さらに、外部栓が入口部に螺合されるとき、つまり、ユーザが外部栓をメイン容器に装着して爪光沢剤容器を保管するとき、外部栓の外部栓押圧爪は、移動栓が光沢剤移動用通孔を閉塞するように移動栓押圧爪を押圧するので、爪光沢剤は保管時には爪光沢剤吐出用ブラシに供給されない。これにより、保管時に、余分な爪光沢剤が爪光沢剤吐出用ブラシに供給されることが防止され、ユーザにとって経済的である。また、余分な爪光沢剤が爪光沢剤吐出用ブラシに供給されることを防止することで、爪光沢剤吐出用ブラシ、ひいては爪光沢剤容器が衛生的に保たれる。
【００１０】
さらに、ユーザが外部栓をメイン容器から取り外して爪光沢剤を使用するときのみ、ばねの弾性作用を利用して、爪光沢剤が爪光沢剤吐出用ブラシに供給されるように構成されているので、移動通路内で爪光沢剤が固まることが防止される。
【発明の効果】
【００１１】
本発明に係る爪光沢剤容器は、ユーザが外部栓をメイン容器から取り外すだけで使用することができる。
【図面の簡単な説明】
【００１２】
【図１】本発明の実施形態に係る爪光沢剤容器の断面図である。
【図２】外部栓を閉じた状態を示す爪光沢剤容器の断面図である。
【図３】爪光沢剤容器の使用状態を示す図である。
【発明を実施するための形態】
【００１３】
以下、添付図面に基づき、本発明の実施形態に係る爪光沢剤容器について詳述する。
【００１４】
図１は、爪光沢剤容器１の構成を示す断面図であり、図２は、外部栓４０を閉じた状態の爪光沢剤容器１を示す断面図であり、図３は、爪光沢剤容器１の使用状態を示す図である。爪光沢剤容器１は、爪光沢剤を収容した容器と、該容器に取り付けられる外部栓とを有し、ブラシに付着した光沢剤を爪に塗り付けるものである。
【００１５】
爪光沢剤容器１は、具体的には、図１〜図３に示すように、爪光沢剤１５を収容し、入口部１２を有するメイン容器１０と、入口部１２の内周面１２ａに嵌合された内側挿入栓２０と、内側挿入栓２０に対して相対移動可能に構成された移動栓３０と、メイン容器１０の入口部１２に螺合してメイン容器１０に装着される外部栓４０と、内側挿入栓２０と移動栓３０との間に配設されたばね５０とを含む。
【００１６】
メイン容器１０には爪光沢剤１５が充填されている。入口部１２は、筒状を呈する部分であって、メイン容器１０の容器開口から図１では上方に突出するように一体に形成されている。
【００１７】
内側挿入栓２０は、入口部１２の内周面１２ａに嵌入可能なように筒状に形成された部材である。内側挿入栓２０は、内部において軸方向に延びる収容孔２２を有する。内側挿入栓２０の軸方向一端側は開放され、軸方向他端側は閉塞板２１によって閉塞されて小径部２４−１として構成されている。小径部２４−１の周壁には、該周壁を貫通する１つまたは複数の光沢剤移動用通孔２４が形成されている。光沢剤移動用通孔２４は、小径部２４−１の周方向に任意の間隔で形成されている。光沢剤移動用通孔２４により、収容孔２２とメイン容器１０とが連通され、メイン容器１０内の光沢剤１５は、光沢剤移動用通孔２４を通って収容孔２２内に流れ込む。
【００１８】
内側挿入栓２０における小径部２４−１とは反対側に位置する一端部２３は、その外周面に、径方向外方に突出する外側停止爪２８−１が形成されている。外側停止爪２８−１は、内側挿入栓２０が入口部１２に嵌入されたときに入口部１２の先端に当接する。これにより、内側挿入栓２０が入口部１２の内周面１２ａに沿って移動してメイン容器１０内に進入することを規制している。
【００１９】
移動栓３０は、内側挿入栓２０と同軸、かつ内側挿入栓２０よりも小径に設定された筒状の部材である。移動栓３０は、内側挿入栓２０に対して相対移動可能に収容孔２２に嵌入された第１円筒部分３３と、内側挿入栓２０から軸方向に突出する第２円筒部分３１とからなる。また、移動栓３０の軸方向に延びる内部空間は、爪光沢剤１５が流通する移動通路３２として画定されている。移動通路３２の軸方向一端側および軸方向他端側は共に開放されている。
【００２０】
第１円筒部分３３の下端部（つまり、移動栓３０における一方の軸方向最端部）は、後述するように、爪光沢剤容器１が保管されている状態では内側挿入栓２０の閉塞板２１に当接している。第２円筒部分３１の上端部（つまり、移動栓３０における他方の軸方向最端部）には、爪光沢剤吐出用ブラシ３４が固定されている。爪光沢剤吐出用ブラシ３４、移動栓３０および内側挿入栓２０により、ブラシ胴体が構成されている。
【００２１】
移動通路３２の前記軸方向一端側は収容孔２２に連通しており、前記軸方向他端側は爪光沢剤吐出用ブラシ３４に面している。移動通路３２の前記軸方向一端側は、爪光沢剤１５が光沢剤移動用通孔２４および収容孔２２を介して流入する入口側であり、前記軸方向他端側は、爪光沢剤１５が爪光沢剤吐出用ブラシ３４に供給される出口側である。
【００２２】
移動栓３０の第１円筒部分３３は、収容孔２２内で内側挿入栓２０に対して相対移動して、光沢剤移動用通孔２４を開閉することが可能に構成されている。光沢剤移動用通孔２４の開閉により、移動通路３２は、収容孔２２および光沢剤移動用通孔２４を介してメイン容器１０と連通状態／非連通状態に切り換えられる。
【００２３】
内側挿入栓２０の小径部２４−１は、該内側挿入栓２０の他の部分（大径部２４−２）に対して縮径された部分であり、その縮径によって内側挿入栓２０の内周面に形成された段差が内爪２６として構成されている。内爪２６は図１では光沢剤移動用通孔２４の上方に位置している。言い換えれば、光沢剤移動用通孔２４は、小径部２４−１における内爪２６と閉塞板２１との間に位置している。
【００２４】
移動栓３０の第１円筒部分３３の外周面には、内側挿入栓２０の大径部２４−２に向かって径方向外方に突出する移動栓停止爪３８が形成されている。移動栓３０の第１円筒部分３３が内側挿入栓２０に嵌入された状態では、内側挿入栓２０の小径部２４−１の内周面は、第１円筒部分３３の外周面に当接し、移動栓停止爪３８は大径部２４−２の内周面に当接する。このように内側挿入栓２０と第１円筒部分３３とが当接した状態では、内側挿入栓２０の大径部２４−２の内周面と第１円筒部分３３の外周面との間に空間が形成されている。そして、前記空間には、ばね５０が移動栓３０の第１円筒部分３３の外周面に装着された状態で介在している。ばね５０の一端側（図１では下端側）は内爪２６によって支持され、他端側（図１では上端側）は移動栓停止爪３８によって支持されている。したがって、ばね５０は、前記空間内において第１円筒部分３３の軸方向に弾性変形可能である。ばね５０は、例えばコイルばねである。
【００２５】
内側挿入栓２０の一端部２３における内周面には、径方向内方に突出する、つまり外側停止爪２８−１とは逆方向に突出する内側停止爪２８が形成されている。内側挿入栓２０における内側停止爪２８が形成された部位は、小径部２４−１と同様に、内側挿入栓２０の内径が小さくなる部位である。内側停止爪２８は、内側挿入栓２０の大径部２４−２の内周面に沿って軸方向に移動可能な第１円筒部分３３（移動栓３０）の軸方向の移動範囲を規定するものである。内側停止爪２８は、爪光沢剤容器１が使用されているときには移動栓停止爪３８と当接して、移動栓３０の移動を規制するものでり、一方、爪光沢剤容器１が保管されているときには後述する移動栓押圧爪３６と当接して、移動栓３０の移動を規制する。
【００２６】
移動栓３０の第２円筒部分３１の外周面には、径方向外方に突出する移動栓押圧爪３６が形成されている。移動栓押圧爪３６は、移動栓停止爪３８に対して軸方向に所定の距離離間している。内側挿入栓２０の内側停止爪２８は、移動栓３０が内側挿入栓２０に嵌入された状態では軸方向において移動栓停止爪３８と移動栓押圧爪３６との間に位置するように設定されている。
【００２７】
外部栓４０は、メイン容器１０の入口部１２に装着される筒状の装着部４４と、爪光沢剤吐出用ブラシ３４を覆って外部から保護する保護部４５とを一体に有している。装着部４４の内周面には、ねじ部４３が形成されている。一方、メイン容器１０の入口部１２の外周面にも、ねじ部１３が形成されている。ねじ部４３とねじ部１３とが螺合することで、装着部４４、つまり外部栓４０がメイン容器１０に装着される。
【００２８】
装着部４４は、入口部１２だけではなく、内側挿入栓２０および移動栓３０と同軸に延びる部分であって、その内周面には、移動栓３０に向かって径方向内方に突出する外部栓押圧爪４２が形成されている。外部栓押圧爪４２は、後述するように移動栓３０の移動栓押圧爪３６に当接したとき、移動栓押圧爪３６を内側挿入栓２０の一端部２３に向けて軸方向に押圧する。
【００２９】
移動栓停止爪３８および移動栓押圧爪３６の直径は、外部栓４０の入口部内径（つまり、装着部４４の内径）よりも小さくなるように設定することが好ましい。
【００３０】
移動栓３０の移動栓押圧爪３６には、爪光沢剤吐出用ブラシ３４の固定基部近傍に向かって第２円筒部分３１の外周面に沿って延びる保護管体３７が形成されている。保護管体３７は、移動栓３０と同軸に延びる部材であって、移動栓押圧爪３６から第２円筒部分３１に対して略平行に延びる管体部４６と、管体部４６から爪光沢剤吐出用ブラシ３４の固定基部（図１では爪光沢剤吐出用ブラシ３４の下端部）に向かってテーパ状に延びるテーパ部４７とを一体に有するのが好ましい。
【００３１】
テーパ部４７は、爪光沢剤吐出用ブラシ３４に接触する部位から移動栓押圧爪３６に向かって直径が大きくなるように設定されている。テーパ部４７のテーパ面４７−１は、外部栓４０の保護部４５の内面に対して略平行に延びている。
【００３２】
外側停止爪２８−１の外周面からの突出長は、入口部１２のねじ部１３の谷１３−１を超えないように設定されている。これにより、後述するように外部栓４０がメイン容器１０に装着されるとき、外側停止爪２８−１がねじ部１３とねじ部４３との螺合を妨げない。
【００３３】
外部栓押圧爪４２の内周面からの突出長は、装着部４４のねじ部４３の山４３−２の高さよりも大きくなるように設定されている。また、移動栓押圧爪３６の外周面からの突出長は、ねじ部４３の山４３−２と接触しない長さに設定されている。
【００３４】
上記構成の爪光沢剤容器１は、使用されていないとき、図２に示すように外部栓４０がメイン容器１０に装着された状態で保管される。具体的には、爪光沢剤容器１の使用後、外部栓４０をメイン容器１０に装着するために、外部栓４０のねじ部４３と入口部１２のねじ部１３とを螺合させ始めると、外部栓４０の外部栓押圧爪４２が移動栓３０の移動栓押圧爪３６を押圧して、移動栓３０を下降させる、つまり閉塞板２１に向けて軸方向に移動させる。このとき、移動栓３０の移動栓停止爪３８は、ばね５０を圧縮させつつ、内側挿入栓２０の内爪２６に近付く。
【００３５】
そして、ねじ部４３とねじ部１３とが完全に螺合されると、外部栓押圧爪４２によって移動栓押圧爪３６が内側挿入栓２０の一端部２３（外側停止爪２８−１および内側停止爪２８）に当接した状態となる。このような状態では、内側挿入栓２０の第１円筒部分３３が閉塞板２１に当接して光沢剤移動用通孔２４を閉塞している。そのため、光沢剤１５が光沢剤移動用通孔２４を介して移動通路３２に流入すること、ひいては光沢剤１５が爪光沢剤吐出用ブラシ３４に供給されることが防止される。これにより、ユーザーがメイン容器１０を不意に押しても光沢剤１５が外部に漏れることを防止できる。
【００３６】
一方、爪光沢剤容器１を使用するとき、外部栓４０をメイン容器１０から取り外すために、図１に示すように、ねじ部４３とねじ部１３との螺合を部分的に解除すると、外部栓４０の外部栓押圧爪４２が移動栓３０の移動栓押圧爪３６から離間する。そして、ばね５０の復帰力により、移動栓３０は、その移動栓停止爪３８が内側挿入栓２０の内側停止爪２８に当接するまで閉塞板２１から離間する方向に移動する。
【００３７】
移動栓３０（第１円筒部分３３）が閉塞板２１から離間すると、第１円筒部分３３によって閉塞されていた光沢剤移動用通孔２４が開放される。ばね５０の復帰力は移動栓３０をピストンのように運動させるので、光沢剤移動用通孔２４が開放されると爪光沢剤１５は光沢剤移動用通孔２４、収容孔２２を経て移動通路３２内に瞬時に吸い上げられる。光沢剤移動用通孔２４が形成された小径部２４−１は入口部１２の内周面１２ａに接触していないので、爪光沢剤１５の移動通路３２への移動は円滑に行われる。そして、外部栓４０をメイン容器１０から取り外した後、図３に示すように、爪光沢剤吐出用ブラシ３４を爪に当てて使用すればよい。
【００３８】
また、保護管体３７のテーパ面３７−１は移動栓押圧爪３６に向かって拡径しているので、外部栓４０をメイン容器１０に組み立てる初期の段階において保護管体３７が外部栓４０の装着部４４の妨げとならない。これにより、外部栓４０のメイン容器１０への初期組み立てが容易となる。
【００３９】
また、爪光沢剤容器１を長期間にわたって使用しなかった場合、次のようにして、移動栓３０を掃除できる。すなわち、まず、移動栓３０および内側挿入栓２０からなるブラシ胴体を入口部１２から分離させ、次に、移動栓３０の保護管体３７のテーパ面３７−１を押圧する。すると、移動栓３０の内部空間、つまり移動通路３２が強制的に狭くなる。これにより、移動通路３２内の爪光沢剤１５や異物が移動通路３２から収容孔２２、爪光沢剤移動用通孔２４を通って外部に排出される。このようにして移動栓３０を掃除した後、移動栓３０および内側挿入栓２０からなるブラシ胴体を入口部１２に挿入する。これにより、爪光沢剤容器１を正常な使用可能状態とすることができる。
【００４０】
また、内側挿入栓２０の内側停止爪２８は、移動栓３０が軸方向に移動して爪光沢剤移動用通孔２４が開放されるとき、移動栓３０の移動栓停止爪３８と当接して、移動栓３０が内側挿入栓２０から離間することを防止している。また、内側停止爪２８は、移動栓３０が軸方向に移動して光沢剤移動用通孔２４が閉鎖されるとき、移動栓３０の移動栓押圧爪３６と当接して、移動栓３０の第１円筒部分３３が内側挿入栓２０の閉塞板２１に強く衝突することを防止している。これにより、爪光沢剤容器１の耐久性を向上させることができる。
【００４１】
以上説明した爪光沢剤容器１によれば、外部栓４０が入口部１２と螺合していないとき、つまり、ユーザが外部栓４０をメイン容器１０から取り外して爪光沢剤１５を使用するとき、ばね５０の復帰力により、移動栓３０はピストンのように運動して光沢剤移動用通孔２４を開放するので、爪光沢剤１５は光沢剤移動用通孔２４を介して移動通路３２内に瞬時に吸い上げられて爪光沢剤吐出用ブラシ３４に供給される。このように、爪光沢剤容器１は、ユーザが外部栓４０をメイン容器１０から取り外すだけで、使用可能状態となる。
【００４２】
また、爪光沢剤容器１では、爪光沢剤１５は移動栓３０の移動通路３２を介して爪光沢剤吐出用ブラシ３４に直接供給されるので、ユーザ自身がブラシに爪光沢剤を付着させてから該ブラシを容器から取り出す従来の構成と比較して、爪光沢剤１５が爪光沢剤吐出用ブラシ３４から滴り落ち難くい。
【００４３】
さらに、爪光沢剤容器１は、内側挿入栓２０を入口部１２の内周面１２ａに嵌合させ、ばね５０を内側挿入栓２０の内周面と移動栓３０の外周面との間の空間内において移動栓３０に装着すると共に、移動栓３０を内側挿入栓２０の収容孔２２に嵌合させるだけで容易に組み立てることができる。
【００４４】
さらに、外部栓４０が入口部１２に螺合されるとき、つまり、ユーザが外部栓４０をメイン容器１０に装着して爪光沢剤容器１を保管するとき、外部栓４０の外部栓押圧爪４２は、移動栓３０の第１円筒部分３３が光沢剤移動用通孔２４を閉塞するように移動栓３０の移動栓押圧爪３６を押圧するので、爪光沢剤１５は保管時には爪光沢剤吐出用ブラシ３４に供給されない。これにより、保管時に、余分な爪光沢剤１５が爪光沢剤吐出用ブラシ３４に供給されることが防止され、ユーザにとって経済的である。また、余分な爪光沢剤１５が爪光沢剤吐出用ブラシ３４に供給されることを防止することで、爪光沢剤吐出用ブラシ３４、ひいては爪光沢剤容器１が衛生的に保たれる。
【００４５】
さらに、ユーザが外部栓４０をメイン容器１０から取り外して爪光沢剤１５を使用するときのみ、上記のように、ばね５０の弾性作用を利用して、爪光沢剤１５が爪光沢剤吐出用ブラシ３４に供給されるように構成されているので、移動通路３２内で爪光沢剤１５が固まることが防止される。
【符号の説明】
【００４６】
１０  メイン容器
１２  入口部
１３  ねじ部
１３−１  山
１３−２  谷
１５  光沢剤
２０  内側挿入栓
２２  収容孔
２４  爪光沢剤移動用通孔
２４−１  小径部
２６  内爪
２８  内側停止爪
２８−１  外側停止爪
３０  移動栓
３２  移動通路
３４  爪光沢剤吐出用ブラシ
３６  移動栓押圧爪
３７  保護管体
３７−１  テーパ面
３８  移動栓停止爪
４０  外部栓
４２  外部栓押圧爪
４３  ねじ部
４３−１  谷
４３−２  山
５０  ばね
【図１】
2010259771.tif 000003
【図２】
2010259771.tif 000004
【図３】
2010259771.tif 000005